(57)【特許請求の範囲】
【請求項１】
外筐体に収納される位置及び該外筐体より外方側に突出される位置に亘って移動操作可能に支持されたトレイ部と、
上記トレイ部上に回転操作可能に配設され、載置された記録ディスク上にさらにディスクスタビライザが載置されることによって、該記録ディスクを該ディスクスタビライザと共働して保持し、この記録ディスクを回転操作するディスクテーブルと、
該外筐体内に配設され光線を発光させる発光素子と該発光素子から発光された光線を受光する受光素子とからなり、上記トレイ部が上記外筐体に収納される位置に移動する際、該発光素子から該受光素子に向けて発光された光線が上記ディスクスタビライザにより遮断されたか否かにより上記ディスクテーブル上の上記ディスクスタビライザの有無を検出する検出手段とを備えているディスクプレーヤ装置。
【請求項２】
上記検出手段は、上記トレイ部が上記外筐体内に収納される位置に配されたとき、該発光素子から該受光素子に向けて発光された光線が上記ディスクスタビライザにより遮断されたか否かにより上記ディスクテーブル上の上記ディスクスタビライザの有無を検出することを特徴とする請求項１記載のディスクプレーヤ装置。
【請求項３】
上記ディスクテーブルの回転操作を制御する制御手段を有し、
上記制御手段は、上記検出手段により上記ディスクテーブル上に上記ディスクスタビライザが存在しないことが検出されたときには、該ディスクテーブルの回転操作を禁止する請求項２記載のディスクプレーヤ装置。
【請求項４】
表示手段を有し、
上記表示手段は、上記検出手段により上記ディスクテーブル上に上記ディスクスタビライザが存在しないことが検出されたときには、該ディスクスタビライザが該ディスクテーブルに対して非装着である旨を表示する請求項１又は請求項３記載のディスクプレーヤ装置。
【請求項５】
外筐体内に収納される位置及び該外筐体より外方側に突出される位置に亘って移動操作可能に支持されたトレイ部と、
上記トレイ部上に回転操作可能に配設され、載置された記録ディスク上にさらにディスクスタビライザが載置されることによって、該記録ディスクを該ディスクスタビライザと共働して保持し、この記録ディスクを回転操作するディスクテーブルと、
上記トレイ部が上記外筐体に収納される位置に移動する際、該外筐体内に配設された接触素子が上記ディスクスタビライザに接触したか否かにより上記ディスクテーブル上の上記ディスクスタビライザの有無を検出する検出手段とを備えているディスクプレーヤ装置。
【発明の詳細な説明】
【０００１】
【産業上の利用分野】
本発明は、光ディスクに記録された情報信号を読み出して再生するディスクプレーヤ装置に関する。
【０００２】
【従来の技術】
従来、光ディスクに記録された情報信号を光学ピックアップ装置により読み出し、この情報信号を音響信号に復調して再生するディスクプレーヤ装置が提案されている。
【０００３】
このようなディスクプレーヤ装置は、外筐体内に光ディスクを搬入するローディング機構及び搬入された光ディスクをディスクテーブル上に装着させるチャッキング機構を有して構成されている。
【０００４】
上記ローディング機構は、上記外筐体の内外に亘って移動操作されるディスクトレイを有している。このディスクトレイは、上記外筐体の外方側に移動された状態で、光ディスクを位置決めして載置される。そして、このディスクトレイは、光ディスクを載置させたまま、上記外筐体内に移動操作されることにより、該光ディスクを該外筐体内に搬入する。
【０００５】
上記チャッキング機構は、ディスクドライブ部を構成する上記ディスクテーブルと、このディスクテーブルに対向して配設され回転可能となされたチャッキングプレートとを有している。
【０００６】
上記ディスクドライブ部は、上記光学ピックアップ装置と、駆動軸に上記ディスクテーブルが取り付けられたスピンドルモータとを有して構成されている。上記光学ピックアップ装置は、上記ディスクドライブ部において、上記ディスクテーブルに対する接離方向に移動操作可能となされている。
【０００７】
上記ディスクドライブ部は、上記ディスクテーブルを上記チャッキングプレートに対して接離させる方向に移動操作可能となされている。そして、上記ディスクトレイにより搬入された光ディスクは、上記ディスクテーブルと上記チャッキングプレートとの間に位置されている。上記光ディスクが搬入された後、上記ディスクテーブルが上記チャッキングプレート側に移動されると、これらディスクテーブル及びチャッキングプレートは、共働して上記光ディスクを挟持して保持する。
【０００８】
そして、上記スピンドルモータが回転駆動されると、上記ディスクテーブルは、上記光ディスク及び上記チャッキングプレートを伴って、回転操作される。回転操作されている光ディスクは、上記光ピックアップ装置により、情報信号の読み出しを行われる。
【０００９】
【発明が解決しようとする課題】
ところで、上述のようなディスクプレーヤ装置においては、上記ローディング機構による光ディスクの搬入が終了した後、この光ディスクに対するチャッキングが行われる。そのため、このディスクプレーヤ装置においては、上記ディスクトレイに上記光ディスクを載置してからこの光ディスクの再生が実行されるまでの時間を短縮することが困難である。
【００１０】
ここで、上記ディスクドライブ部を上記ディスクトレイ上に装着し、このディスクドライブ部を上記外筐体の外方側まで移動操作する構成が考えられる。すなわち、上記ディスクドライブ部を上記外筐体の外方側に移動させた状態で、このディスクドライブ部に上記光ディスクを装着させれば、このディスクドライブ部を上記外筐体内に搬入したときに、即座に再生動作を実行することができる。
【００１１】
しかしながら、上記外筐体の外方側に移動操作された上記ディスクドライブ部に上記光ディスクを装着させることとすると、このディスクドライブ部に対する上記光ディスクの装着が正確に行われていない状態で、該ディスクドライブ部が該外筐体内に収納されてしまう虞れがある。
【００１２】
上記ディスクドライブ部に対する上記光ディスクの装着が正確に行われていない状態で該ディスクドライブ部が上記外筐体内に収納されると、上記ディスクテーブルが回転操作されたとき、該光ディスクが該ディスクテーブルより脱落して、傷損、破損を被る虞れがある。
【００１３】
そこで、本発明は、上述の実情に鑑みて提案されるものであって、ディスクドライブ部が外筐体の外方側に移動操作され、このディスクドライブ部に対する迅速な記録ディスクの着脱が行えるようになされるとともに、このディスクドライブ部に対する記録ディスクの装着が正確に行われていないときにおいても、該記録ディスクを保護することができるようになされたディスクプレーヤ装置を提供することを目的とする。
【００１４】
【課題を解決するための手段】
上述の課題を解決し上記目的を達成するため、本発明に係るディスクプレーヤ装置は、
外筐体に収納される位置及び該外筐体より外方側に突出される位置に亘って移動操作可能に支持されたトレイ部と、上記トレイ部上に回転操作可能に配設され、載置された記録ディスク上にさらにディスクスタビライザが載置されることによって、該記録ディスクを該ディスクスタビライザと共働して保持し、この記録ディスクを回転操作するディスクテーブルと、該外筐体内に配設され光線を発光させる発光素子と該発光素子から発光された光線を受光する受光素子とからなり、上記トレイ部が上記外筐体に収納される位置に移動する際、該発光素子から該受光素子に向けて発光された光線が上記ディスクスタビライザにより遮断されたか否かにより上記ディスクテーブル上の上記ディスクスタビライザの有無を検出する検出手段とを備えているものである。
また、本発明に係るディスクプレーヤ装置の検出手段は、上記トレイ部が上記外筐体内に収納される位置に配されたとき、該発光素子から該受光素子に向けて発光された光線が上記ディスクスタビライザにより遮断されたか否かにより上記ディスクテーブル上の上記ディスクスタビライザの有無を検出する。
【００１５】
そして、本発明は、上記ディスクプレーヤ装置において、上記ディスクテーブルの回転操作を制御する制御手段を設け、この制御手段は、上記検出手段により上記ディスクテーブル上に上記ディスクスタビライザが存在しないことが検出されたときには、該ディスクテーブルの回転操作を禁止することとしたものである。
【００１６】
また、本発明は、上述の各ディスクプレーヤ装置において、表示手段を設け、この表示手段は、上記検出手段により上記ディスクテーブル上に上記ディスクスタビライザが存在しないことが検出されたときには、該ディスクスタビライザが該ディスクテーブルに対して非装着である旨を表示するものである。
また、本発明に係るディスクプレーヤ装置は、外筐体内に収納される位置及び該外筐体より外方側に突出される位置に亘って移動操作可能に支持されたトレイ部と、上記トレイ部上に回転操作可能に配設され、載置された記録ディスク上にさらにディスクスタビライザが載置されることによって、該記録ディスクを該ディスクスタビライザと共働して保持し、この記録ディスクを回転操作するディスクテーブルと、上記トレイ部が上記外筐体に収納される位置に移動する際、該外筐体内に配設された接触素子が上記ディスクスタビライザに接触したか否かにより上記ディスクテーブル上の上記ディスクスタビライザの有無を検出する検出手段とを備えているものである。
【００１７】
【作用】
本発明に係るディスクプレーヤ装置は、外筐体に収納される位置及び該外筐体より外方側に突出される位置に亘って移動操作可能に支持されたトレイ部と、上記トレイ部上に回転操作可能に配設され、載置された記録ディスク上にさらにディスクスタビライザが載置されることによって、該記録ディスクを該ディスクスタビライザと共働して保持し、この記録ディスクを回転操作するディスクテーブルと、該外筐体内に配設され光線を発光させる発光素子と該発光素子から発光された光線を受光する受光素子とからなり、上記トレイ部が上記外筐体に収納される位置に移動する際、該発光素子から該受光素子に向けて発光された光線が上記ディスクスタビライザにより遮断されたか否かにより上記ディスクテーブル上の上記ディスクスタビライザの有無を検出する検出手段とを備えるので、該ディスクスタビライザが非装着の状態でのディスクテーブルの回転を未然に防止することができる。
【００１８】
そして、上記ディスクプレーヤ装置において、上記ディスクテーブルの回転操作を制御する制御手段を設け、この制御手段は、上記検出手段により上記ディスクテーブル上に上記ディスクスタビライザが存在しないことが検出されたときには、該ディスクテーブルの回転操作を禁止することとした場合には、上記ディスクスタビライザが非装着の状態での上記ディスクテーブルの回転が防止される。
また、上述の各ディスクプレーヤ装置において、表示手段を設け、この表示手段は、上記検出手段により上記ディスクテーブル上に上記ディスクスタビライザが存在しないことが検出されたときには、該ディスクスタビライザが該ディスクテーブルに対して非装着である旨を表示することとした場合には、上記ディスクスタビライザが非装着の状態での上記ディスクテーブルの回転を防止することができる。
【００１９】
【実施例】
以下、本発明の具体的な実施例を図面を参照しながら説明する。
【００２０】
この例は、本発明に係るディスクプレーヤ装置を、図１に示すように、直径が１２ｃｍ、または、８ｃｍのディスク基板を有して構成された記録ディスクである光ディスク２０１の再生を行う装置として構成した例である。この光ディスク２０１のディスク基板は、ポリカーボネイトの如き透明な合成樹脂材料により形成され、中央部分にチャッキング孔２０２を有している。このディスク基板の主面部には、射出成型により、情報信号に対応した微細な凹凸（ピット）が形成されるとともに、いわゆるスパッタリング工程により、アルミニウムの如き金属材料よりなる反射層が被着形成されている。
【００２１】
この光ディスク２０１は、後述する光学ピックアップ装置により、集光されたレーザ光束を照射されるとともに、このレーザ光束の反射光束の強度変化を検出されることによって、情報信号の読み出しをなされる。
【００２２】
［１］シャーシフレームの構成
このディスクプレーヤ装置は、図１に示すように、シャーシフレーム１を有して構成される。このシャーシフレーム１は、金属板材料が屈曲形成されることにより、底板部１３と、この底板部１３の両側縁部より上方側に垂設された左右一対の側板部１５，１４とを有して構成されている。
【００２３】
上記シャーシフレーム１は、図２に示すように、このディスクプレーヤ装置の外筐体の底板７２上に固定して配設される。
【００２４】
上記シャーシフレーム１には、上記各側板部１５，１４の上端部間に亘って、天板部５が取り付けられている。この天板部５は、略々平板状に形成され、両側側部分に形成された複数の螺子挿通孔２１に対応して挿通された複数の螺子２０が上記各側板部１５，１４の上端部に形成された螺子孔１６，１７，１８，１９に螺入されることにより、上記シャーシフレーム１に取り付けられる。
【００２５】
上記天板部５の下面部には、回路基板６が取り付けられている。この回路基板６は、複数の螺子挿通孔２３を有し、これら螺子挿通孔２３に対応して下方側より挿通された複数の螺子２２が上記天板部５に形成された螺子孔に螺入されることにより、該天板部５に取り付けられている。
【００２６】
［２］トレイ部の構成
上記シャーシフレーム１の底板部１３上、すなわち、上記各側板部１５，１４間であって上記回路基板６の下方側には、ローディング機構を構成するトレイ部７が配設されている。このトレイ部７上には、後述するディスクドライブ部１０が配設されている。また、このトレイ部７の上面部には、上記ディスクドライブ部１０を覆って、トレイカバー１１が取り付けられている。さらに、これらトレイ部７とトレイカバー１１との前縁部には、図２に示すように、表示手段となる表示パネル部７０が取り付けられている。
【００２７】
上記トレイカバー１１は、前方側に設けらた左右一対の係合孔６６，６６に上記トレイ部７の上面部の前方側に設けられた左右一対の係合爪５７，５７を係合され、後方側部分を左右一対の止め螺子６９，６９により該トレイ部７に固定されることにより、該トレイ部７に取り付けられている。
【００２８】
上記トレイ部７は、図２に示すように、上記表示パネル部７０を上記外筐体の全面パネル部７１に沿わせて該外筐体内に収納されるローディング位置と、図３に示すように、該外筐体より外方側に突出されたイジェクト位置とに亘って、移動操作可能に支持されている。
【００２９】
すなわち、上記トレイ部７は、このトレイ部７に前後方向に亘って取り付けられた第１及び第２のシャフト８，９が上記シャーシフレーム１の底板部１３上に配設された第１及び第２のスラスト軸受け３，４に移動可能に支持されることによって、略々このトレイ部７の前後方向の長さに相当する距離に亘って、前後方向に移動操作可能となされている。
【００３０】
上記第１のシャフト８は、上記トレイ部７の前後方向の長さの略々２倍の長さを有している。この第１のシャフト８は、一端部、すなわち、前端部をこのトレイ部７の前縁部の近傍に位置させ、他端側、すなわち、後端側をこのトレイ部７の後方側に突出させて、該トレイ部７の一側縁に沿ってこのトレイ部７に取り付けられている。
【００３１】
この第１のシャフト８の前端部には、前端部螺子穴４５が設けられている。この前端部螺子穴４５には、上記トレイ部７の前端面部に形成された透孔５３を挿通された止め螺子４７が螺入される。また、この第１のシャフト８の略々中央部には、側部螺子穴４６が設けられている。この側部螺子穴４６には、上記トレイ部７の後縁側に形成された透孔を挿通された止め螺子４８が螺入される。
【００３２】
上記第２のシャフト９は、上記トレイ部７の前後方向の長さに略々等しい長さを有している。この第２のシャフト９は、前端部をこのトレイ部７の前縁部の近傍に位置させ、後端側をこのトレイ部７の後縁部の近傍に位置させて、該トレイ部７の他側縁に沿ってこのトレイ部７に取り付けられている。
【００３３】
この第２のシャフト９の前端部には、前端部螺子穴４９が設けられている。この前端部螺子穴４９には、上記トレイ部７の前端面部に形成された透孔５４を挿通された止め螺子５１が螺入される。また、この第１のシャフト８の後端側には、側部螺子穴５０が設けられている。この側部螺子穴５０には、上記トレイ部７の後縁側に形成された透孔を挿通された止め螺子５２が螺入される。
【００３４】
上記第１のスラスト軸受け３は、前端側部分及び後端側部分に、上記第１のシャフト８を挿通させてこの第１のシャフト８を支持する軸受け孔４３，４３を有している。
【００３５】
この第１のスラスト軸受け３は、上記トレイ部７が上記ローディング位置となっているときにおいては、このトレイ部７の前縁部近傍の位置及びこのトレイ部７の後縁部近傍の位置において、上記第１のシャフト８を支持する。また、この第１のスラスト軸受け３は、上記トレイ部７が上記イジェクト位置となっているときにおいては、上記第１のシャフト８の該トレイ部７の後縁部近傍に位置する部分及び後端部近傍の部分を支持する。
【００３６】
上記第２のスラスト軸受け４は、前端側部分に、上記第２のシャフト９を挿通させてこの第２のシャフト９を支持する軸受け孔４４を有している。
【００３７】
上記第２のスラスト軸受け４は、上記トレイ部７が上記ローディング位置となっているときにおいては、このトレイ部７の前端部近傍の位置において上記第２のシャフト９を支持する。また、この第２のスラスト軸受け４は、上記トレイ部７が上記イジェクト位置となっているときにおいては、上記第２のシャフト８の該トレイ部７の後縁部近傍に位置する部分を支持する。
【００３８】
なお、上記トレイカバー１１の上面部には、後述するディスクドライブ部１０の光学ピックアップ装置６０及びディスクテーブル６１を上方側に臨ませるための透孔６７が形成されている。また、このトレイカバー１１の上面部の後方側には、上記光ディスク２０１の後方側への脱落を防止するための湾曲状壁部６８が突設されている。
【００３９】
［３］第１の駆動手段の構成
そして、上記トレイ部７は、第１の駆動手段により移動操作される。この第１の駆動手段は、図９に示すように、ローディング機構を駆動するための駆動力を発生する駆動モータであるローディングモータ２６と、このローディングモータ２６の発生する駆動力を伝達する駆動力伝達機構となる無端駆動ベルト２９及び複数の伝達ギヤ３１，３２，３３，３４，３５とを有して構成されている。上記ローディングモータ２６は、制御手段となる制御回路により制御されて回転駆動する。
【００４０】
また、上記ローディングモータ２６及び上記複数の伝達ギヤ３１，３２，３３，３４，３５は、上記シャーシフレーム１に接触することなく、このシャーシフレーム１に対して緩衝部材となるダンパ７９を介して取り付けられた支持板２上に取り付けられている。
【００４１】
すなわち、上記支持板２は、上記シャーシフレーム１の底板部１３上に位置され、複数の取り付けビス４１により、該底板部１３に対して取り付けられている。上記複数の取り付けビス４１は、上記支持板２に形成された複数の透孔４２に対応して挿通された後、上記シャーシフレーム１の底板部１３に形成された螺子孔８０に螺入されている。そして、上記各取り付けビス４１の周面部と上記支持板２の各透孔４２の内周縁部との間には、上記ダンパ７９が介在配設されている。これらダンパ７９は、ブチルゴムの如き衝撃吸収性に富んだ材料により、略々円筒形状を有して形成されている。これらダンパ７９は、上記各取り付けビス４１に外嵌装されるとともに、上記支持板２の透孔４２に嵌合され、外周面側を該透孔４２の内周縁部により支持されている。
【００４２】
そして、上記ローディングモータ２６は、上記支持板２の上面部に、駆動軸を下方側に向けて取り付けられている。このローディングモータ２６の駆動軸は、上記支持板２に形成された透孔８１及び上記底板部１３に形成された透孔２８に挿通されて、該底板部１３の下方側に突出されている。この駆動軸の下端側には、駆動プーリ２７が取り付けられている。この駆動プーリ２７には、従動プーリ３０との間で、上記無端駆動ベルト２９が巻き掛けられている。この従動プーリ３０は、上記底板部１３の下方側に位置して、回転可能に配設されている。すなわち、この従動プーリ３０は、上記支持板２に軸受け８３を介して回転可能に支持された第１の支軸８４の下端側に取り付けられている。この第１の支軸８４は、上記底板部１３に形成された透孔８２を介して、下端側を該底板部１３の下方側に突出させている。
【００４３】
上記第１の支軸８４の上端側には、第１の伝達ギヤ３１が取り付けられている。この第１の伝達ギヤ３１は、この第１の伝達ギヤ３１よりも大径の第２の伝達ギヤ３２に噛合している。この第２の伝達ギヤ３２は、上記支持板２の上方側に位置して、回転可能に配設されている。この第２の伝達ギヤ３２は、上記支持板２に軸受け８５を介して回転可能に支持された第２の支軸８６の略々中央部分に取り付けられている。上記第２の支軸８６の上端側には、上記第２の伝達ギヤ３２よりも小径の第３の伝達ギヤ３３が取り付けられている。
【００４４】
上記第３の伝達ギヤ３３は、この第３の伝達ギヤ３３よりも大径の第４の伝達ギヤ３４に噛合している。この第４の伝達ギヤ３４は、上記支持板２の上方側に位置して、上記第２の支軸８６回りを移動可能となされるとともに、回転可能となされて配設されている。
【００４５】
すなわち、この第４の伝達ギヤ３４は、上記第２の支軸８６回りに回動可能に支持された回動板３７上に配設されている。この回動板３７は、基端側を上記第２の支軸８６に回動可能に取り付けられ、先端側部分において、軸受け８７を介して第３の支軸８８を回転可能に支持している。上記第４の伝達ギヤ３４は、上記第３の支軸８８の略々中央部分に取り付けられている。この第４の伝達ギヤ３４は、上記第３の伝達ギヤ３３に噛合したままの状態で、この第３の伝達ギヤ３３の回りを移動することができる。
【００４６】
上記第３の支軸８８の上端側には、上記第４の伝達ギヤ３４よりも小径の伝達ギヤであるピニオンギヤ３５が取り付けられている。
【００４７】
また、上記第３の支軸８８の上記ピニオンギヤ３５よりも上方側に突出された上端側部分は、ロックピン３６となされている。
【００４８】
そして、上記トレイ部７の下面部には、図４及至図６に示すように、上記ピニオンギヤ３５が噛合するラックギヤ７６及び上記ロックピン３６が嵌入係合するガイドスリット７８が形成されている。
【００４９】
上記ラックギヤ７６は、上記トレイ部７の一側縁に沿って前後方向に亘って形成されている。このラックギヤ７６は、前方側部分が、このラックギヤ７６の歯の方向に円弧状をなして屈曲された屈曲部７７となされている。
【００５０】
上記ガイドスリット７８は、上記ラックギヤ７６に平行にこのラックギヤ７６に沿い、このラックギヤ７８の歯の側に位置されて形成されている。このガイドスリット７８の前方側部分は、上記屈曲部７７の曲率中心を中心とする円弧状に屈曲されている。
【００５１】
上記トレイ部７が上記ローディング位置となっているときには、図４に示すように、上記ピニオンギヤ３５は、上記ラックギヤ７６の屈曲部７７の先端側部分に噛合している。このとき、上記ロックピン３６は、上記ガイドスリット７８の前方側の屈曲された部分に嵌入しており、上記トレイ部７が外力により前方側に移動されることを阻止している。上記トレイ部７が上記ローディング位置となっている状態においては、上記屈曲部７７の曲率中心は、上記第３の伝達ギヤ３３を支持する上記第２の支軸８６の軸芯に一致している。
【００５２】
また、このとき、上記回動板３７の先端側部分は、上記シャーシフレーム１の底板部１３上に配設された一対の検出スイッチ３９，４０を押圧操作している。これら検出スイッチ３９，４０は、上記トレイ部７が上記ローディング位置にあることを検出するためのスイッチであり、上記制御回路に接続されている。
【００５３】
上記ローディングモータ２６が一方向に回転駆動されると、上記各伝達ギヤを介して、上記ピニオンギヤ３５が回転操作される。すると、上記ピニオンギヤ３５は、図５において矢印Ｇで示すように、上記屈曲部７７に噛合しつつ、この屈曲部７７に沿って移動する。すなわち、上記回動板３７が回動され、上記ロックピン３６は、上記ガイドスリット７８の前方側の屈曲された部分に沿って移動される。上記一対の検出スイッチ３９，４０は、上記回動板３７による押圧操作を解除される。
【００５４】
上記ピニオンギヤ３５が上記ラックギヤ７６の前後方向に亘る直線状部分に至り、さらに回転操作されると、このピニオンギヤ３５は、図６において矢印Ｈで示すように、上記トレイ部７を前方方向に移動させる。このとき、上記ロックピン３６は、上記ガイドスリット７８の前後方向に亘る直線状部分に嵌入して、上記回動板３７の回動を阻止している。そして、上記トレイ部７は、上記イジェクト位置となされる。
【００５５】
上記トレイ部７が上記イジェクト位置となされると、図示しない検出スイッチが押圧される。この検出スイッチが押圧操作されると、上記制御回路は、上記ローディングモータ２６を停止させる。
【００５６】
このようにイジェクト位置となされたトレイ部７は、上記第１のシャフト８を後方側に突出させ、この第１のシャフト８の後端部近傍を上記スラスト軸受け３により支持されていることによって、安定して支持されている。
【００５７】
上記トレイ部７が上記イジェクト位置であるときに、上記ローディングモータ２６が他方向に回転駆動されると、上記ピニオンギヤ３５が回転操作され、上記トレイ部７は、図６中矢印Ｊで示すように、後方側に移動操作される。
【００５８】
そして、図５に示すように、上記ラックギヤ７６の直線部の前端位置が上記ピニオンギヤ３５に噛合する位置に至ると、上記表示パネル部７０が略々上記前面パネル部７１に沿う位置に至っており、このとき、該ピニオンギヤ３５が上記屈曲部７７に噛合する状態に移動してゆくことにより、上記トレイ部７の移動速度が低減される。
【００５９】
上記ピニオンギヤ３５が上記屈曲部７７に噛合し、上記回動板３７を回動させ始めたときには、上記トレイ部７は、上記ローディング位置に至っている。そして、さらに上記ピニオンギヤ３５が回転され、図４において矢印Ｆで示すように、上記回動板３７が上記屈曲部７７の先端側方向に回動されると、この回動板３７の先端側部分は、上記一対の検出スイッチ３９，４０を押圧操作する。これら検出スイッチ３９，４０が押圧操作されると、上記制御回路は、上記ローディングモータ２６を停止させる。
【００６０】
［４］ディスクドライブ部の構成
上記トレイ部７上には、光学ピックアップ装置６０を有する上記ディスクドライブ部１０が配設されている。
【００６１】
このディスクドライブ部１０は、図１１及至図１５に示すように、フレーム１１３を有して構成されている。このフレーム１１３は、合成樹脂材料等により略々矩形の筐体状に形成されており、４箇所の各隅部に対応して、４個の支持孔１３２を有している。これら支持孔１３２には、それぞれダンパ６３が嵌合される。これらダンパ６３は、ブチルゴムの如き衝撃吸収性の良好な材料により、略々円筒状に形成されている。これらダンパ６３は、それぞれ上端側に支持筒６４を嵌合され、これら支持筒６４に挿通された止め螺子６５が上記トレイ部７の上面部に設けられた４箇所の螺子ボス５８に対応して螺入されることにより、該トレイ部７に取り付けられる。また、上記各ダンパ６３と上記トレイ部７との間には、サスペンションバネ５９が介在して配設されている。
【００６２】
すなわち、上記ディスクドライブ部１０のフレーム１１３は、４個のダンパ６３及び４個のサスペンションバネ５９を介して、上記トレイ部７上において、いわゆるフローティング支持をなされている。
【００６３】
上記フレーム１１３には、後方側に位置して、光学ピックアップ装置６０が取り付けられている。この光学ピックアップ装置６０は、光源となるレーザダイオード、このレーザダイオードより発せられた光束を導く複数の光学デバイス、光検出器となる受光素子、及び、該光束を集光して射出する対物レンズ７５等を、光学ブロック部に内蔵して構成されている。この光学ピックアップ装置６０は、上記対物レンズ７５を介して射出する光束を上記光ディスク２０１の主面部上に照射し、この光ディスク２０１により反射された該光束を上記受光素子により検出することによって、該光ディスク２０１に記録されている情報信号を読み出すことができるようになされている。
【００６４】
上記光学ピックアップ装置６０は、上記フレーム１１３に形成された透孔１０７内に位置して配設されている。この光学ピックアップ装置６０の光学ブロック部は、一側側部分に軸受け部１１１を有している。この軸受け部１１１は、図１４に示すように、軸受け孔１３４を有している。この軸受け部１１１の軸受け孔１３４には、上記透孔１０７内に配設されたシャフト１０８が挿通されている。このシャフト１０８は、両端側部分を、上記透孔１０７の縁部において、それぞれ固定螺子１０９，１１０によって上記フレーム１１３に固定され、前後方向に亘って配設されている。
【００６５】
そして、上記光学ブロック部は、図１４に示すように、他側側部分を、上記透孔１０７の縁部に対して、調整螺子１３３及び押圧バネ１１２に挟持された状態で、取り付けられている。これら調整螺子１３３及び押圧バネ１１２は、上記透孔１０７の縁部に取り付けられている。上記光学ブロック部は、上記調整螺子１３３を上記フレーム１１３に対して上下方向に進退させることにより、図１４中矢印Ｌ及び矢印Ｍで示すように、上記シャフト１０８回りに回動され、上記フレーム１１３に対する傾きの調整をなされる。上記押圧バネ１１２は、上記光学ブロック部を上記調整螺子１３３に対して押圧支持している。
【００６６】
上記光学ピックアップ装置６０は、上記シャフト１０８の軸方向については固定されており、上記トレイ部７に対して固定されて配設された状態となっているそして、このディスクドライブ部１０は、ディスクテーブル６１を有している。このディスクテーブル６１は、上記光ディスク２０１を保持して回転操作するものであって、上記光学ピックアップ装置６０の前方側に位置し、この光学ピックアップ装置６０に対する接離方向に移動操作可能に支持されている。
【００６７】
このディスクテーブル６１は、図１３及び図１５に示すように、略々円盤状のテーブル部を有し、このテーブル部の上面部の中央部分に略々円錐台形状のセンタリングキャップ７４を有している。また、このディスクテーブル６１は、上記テーブル部の中央より下方側に垂下されたスピンドル軸７３を有している。上記センタリングキャップ７４は、上記スピンドル軸７３に沿って、上記テーブル部に対して出没可能となされるとともに、上方側に向けて弾性付勢されている。このセンタリングキャップ７４は、上記テーブル部上に上記光ディスク２０１の中央部分が載置されるとき、上記チャッキング孔２０２に嵌入して、この光ディスク２０１のセンタリングを行う。
【００６８】
上記スピンドル軸７３は、上記透孔１０７内に配設された支持ブロック１０４により、回転可能に支持されている。この支持ブロック１０４は、導電性を有する合成樹脂材料や金属の如き導電性材料により一体的に形成され、上記スピンドル軸７３を支持する金属製の軸受け１３１を、いわゆるインサート成型や圧入によって、内包して有している。したがって、上記ディスクテーブル６１は、上記支持ブロック１０４に対して電気的に導通されており、この支持ブロック１０４を接地（アース）させることにより、静電気を蓄積することなく、常に接地電位となされる。
【００６９】
上記支持ブロック１０４は、一側側の軸受け部を上記シャフト１０８により支持されて、図１３中矢印Ｄ及び矢印Ｅで示すように、このシャフト１０８に沿って上記光学ピックアップ装置６０に対する接離方向である前後方向に移動操作可能となされている。上記軸受け部には、上記シャフト１０８が挿通される軸受け孔が形成されている。この軸受け孔には、スラスト軸受け１３５が嵌着されている。この支持ブロック１０４の他側側部分には、支持ローラ１０５が回転可能に取り付けられている。この支持ローラ１０５は、上記透孔１０７の縁部に形成された支持鍔部１０６上に載置支持されている。この支持ローラ１０５は、上記支持鍔部１０６に転接して、上記支持ブロック１０４を移動可能に支持している。上記スピンドル軸７３の下端部には、スピンドルモータを構成するロータ１１６が取り付けられている。このロータ１１６は、多極着磁されたマグネットを有している。上記スピンドルモータは、上記ロータ１１６と、上記支持ブロック１０４の下端側に取り付けられた電子基板１１５上に配設された偏平コイルとにより構成されている。上記偏平コイルに所定の電流を供給することにより、上記ロータ１１６は、回転操作される。
【００７０】
上記スピンドルモータを構成する偏平コイルが配設された電子基板１１５には、フレキシブル基板１１４を介して、該スピンドルモータの駆動電流が供給される。このフレキシブル基板１１４は、上記ディスクドライブ部１０の外方側に引き出されている。上記トレイ部７の上面部には、上記フレキシブル基板１１４を所定位置に保持するとともに、このフレキシブル基板１１４が過度に鋭角的に屈曲されないようにするため、このフレキシブル基板１１４が進入される溝状の凹部１１７が形成されている。
【００７１】
そして、上記ディスクテーブル６１を支持する支持ブロック１０４は、第２の駆動手段により移動操作される。この第２の駆動手段は、上記フレーム１１３に取り付けられたスレッドモータ９５と、このスレッドモータ９５の発する駆動力を上記支持ブロック１０４に伝達する複数の伝達ギヤとを有して構成されている。上記スレッドモータ９５は、上記制御回路により制御されて、回転駆動する。すなわち、上記スレッドモータ９５の駆動軸には、駆動ギヤ９６が取り付けられている。この駆動ギヤ９６は、上記フレーム１１３に回転可能に配設された該駆動ギヤ９６よりも大径の第１の伝達ギヤ９７に噛合している。この第１の伝達ギヤ９７には、同軸状に、この第１の伝達ギヤ９７よりも小径の第２の伝達ギヤ９８が取り付けられている。この第２の伝達ギヤ９８は、上記フレーム１１３に回転可能に配設された該第２の伝達ギヤ９８よりも大径の第３の伝達ギヤ９９に噛合している。この第３の伝達ギヤ９９には、同軸状に、この第３の伝達ギヤ９９よりも小径の第４の伝達ギヤ１００が取り付けられている。この第４の伝達ギヤ１００は、上記フレーム１１３に回転可能に配設された該第４の伝達ギヤ１００よりも大径の第５の伝達ギヤ１０１に噛合している。この第５の伝達ギヤ１０１には、同軸状に、この第５の伝達ギヤ１０１よりも小径の伝達ギヤであるピニオンギヤ１０２が取り付けられている。
【００７２】
上記ピニオンギヤ１０２は、上記支持ブロック１０４の一側部に形成されたラックギヤ１０３に噛合している。このラックギヤ１０３は、上記シャフト１０８に平行に形成されている。したがって、上記スレッドモータ９５が回転駆動すると、上記支持ブロック１０４は、上記シャフト１０８に沿って移動操作される。上記支持ブロック１０４の一側側には、図１６に示すように、いわゆるダブルラックを構成するためのラック部材１１９が配設されている。
【００７３】
このラック部材１１９は、略々平板状に形成され、一側縁部にラックギヤ部１２９を有している。このラック部材１１９は、平板状部分の下面部に一対のアーチ部１２２，１２１を有している。このラック部材１１９は、平板状部分と上記各アーチ部１２２，１２１とが形成する透孔部に上記シャフト１０８を挿通させて、該シャフト１０８に取り付けられる。また、このラック部材１１９は、平板状部分に透孔１２３，１２０を有している。
【００７４】
そして、上記支持ブロック１０４の一側側部分には、上記ラック部材１１９のアーチ部１２２，１２１が嵌合される凹部１２８が設けられている。また、この凹部内には、上記ラック部材１１９の透孔１２３，１２０に嵌合される突起部１２５，１２４が設けられている。これら突起部１２５，１２４には、上記スラスト軸受け１３５が嵌着され上記シャフト１０８が挿通される軸受け孔１２６，１２７が穿設されている。
【００７５】
上記ラック部材１１９が上記支持ブロック１０４の一側側に配設され、該支持ブロック１０４の軸受け孔１２６，１２７及び該ラック部材１１９のアーチ部１２２，１２１が形成する透孔内に上記シャフト１０８が挿通されると、上記ラックギヤ１０３と上記ラックギヤ部１２９とは、図１３に示すように、互いに平行に重ねられた状態になる。
【００７６】
そして、上記支持ブロック１０４の一方の突起部１２４と上記ラック部材１１９の一方の透孔１２０の内縁部との間には、圧縮コイルバネ１３０が介在配設されている。この圧縮コイルバネ１３０は、上記シャフト１０８と同軸に、すなわち、このシャフト１０８を挿通された状態で配設されている。この圧縮コイルバネ１３０は、上記ラック部材１１９を、上記支持ブロック１０４に対して、図１６中矢印Ｐで示すように、上記シャフト１０８に沿った一方向に押圧付勢している。
【００７７】
上記第２の駆動手段のピニオンギヤ１０２は、上記支持ブロック１０４のラックギヤ１０３と上記ラック部材１１９のラックギヤ部１２９との双方に噛合している。ここで、上記ラック部材１１９が上記支持ブロック１０４に対して一方向に付勢されていることにより、上記ピニオンギヤ１０２と上記ラックギヤ１０３及び上記ラックギヤ部１２９との間には、バックラッシュが生じることがない。上記ディスクテーブル６１は、図７に示すように、上記光ディスク２０１の中央部分が載置され、載置された光ディスク２０１上にさらにディスクスタビライザ１２が載置されることによって、該光ディスク２０１を該ディスクスタビライザ１２と共働して保持する。
【００７８】
上記ディスクスタビライザ１２は、図１０に示すように、円柱状部分９１と、この円柱状部分９１の下端部に取り付けられた円盤状部分９２とを有して、金属の如き充分な比重を有する材料により構成されている。上記円柱状部分９１には、上記スピンドル軸７３の上端側が挿入される嵌合孔８９が穿設されている。この嵌合孔８９の下方側部分は、上記センタリングキャップ７４との当接を避けるためのテーパ状の拡径部９０となされている。上記円盤状部分９２の下面部には、上記光ディスク２０１との間の摩擦を生じさせるための円環状のフリクションシート９３，９４が貼付されている。
【００７９】
上記ディスクテーブル６１は、上記ディスクスタビライザ１２と共働して上記光ディスク２０１を保持した状態において、上記スピンドルモータが回転駆動さると、この光ディスク２０１を回転操作する。
【００８０】
上記ディスクテーブル６１は、図１１に示すように、上記光学ピックアップ装置６０に最も近接した位置となされたときには、保持している光ディスク２０１の最内周部分を該光学ピックアップ装置６０の対物レンズ７５に対向させる。
【００８１】
また、上記ディスクテーブル６１は、図１２に示すように、上記光学ピックアップ装置６０より最も離間した位置となされたときには、保持している光ディスク２０１の最外周部分を該光学ピックアップ装置６０の対物レンズ７５に対向させる。
【００８２】
上記フレーム１１３には、図示しないスレッドインスイッチとスレッドアウトスイッチとが取り付けられている。
【００８３】
上記スレッドインスイッチは、上記ディスクテーブル６１が上記光学ピックアップ装置に最も近接された位置となったときに、上記支持ブロック１０４により押圧操作される。このスレッドインスイッチは、上記制御回路に接続されている。上記制御回路は、上記第２の駆動手段により、上記支持ブロック１０４を上記光学ピックアップ装置６０に接近する方向に移動操作していたときにおいて、上記スレッドインスイッチが押圧されると、上記スレッドモータ９５を停止させる。
【００８４】
また、上記スレッドアウトスイッチは、上記ディスクテーブル６１が上記光学ピックアップ装置より最も離間した位置となったときに、上記支持ブロック１０４により押圧操作される。このスレッドインスイッチは、上記制御回路に接続されている。上記制御回路は、上記第２の駆動手段により、上記支持ブロック１０４を上記光学ピックアップ装置６０より離間する方向に移動操作していたときにおいて、上記スレッドアウトスイッチが押圧されると、上記スレッドモータ９５を停止させる。
【００８５】
なお、上記光学ピックアップ装置６０及び上記ディスクテーブル６１は、上記トレイカバー１１の上面部に形成された上記透孔６７を介して、このトレイカバー１１の上方側に臨んでいる。
【００８６】
［５］ディスクスタビライザの検出手段の構成
上記外筐体内には、上記トレイ部７が該外筐体内に収納される位置に向かって移動操作されるときに、上記ディスクテーブル６１上の上記ディスクスタビライザ１２の有無を検出する検出手段が設けられている。この検出手段は、図２、図７及び図８に示すように、上記回路基板６の下面部に取り付けられた発光素子２４と、該回路基板６の下面部に取り付けられ該発光素子２４の発する光線Ｋを受光する受光素子２５とにより構成されている。
【００８７】
上記発光素子２４より上記受光素子２５に至る光線Ｋは、図２に示すように、上記トレイ部７が上記ローディング位置にあり、上記ディスクテーブル６１が上記光学ピックアップ装置６０に最も近接した位置となされ、このディスクテーブル６１上に上記ディスクスタビライザ１２が載置されている場合において、このディスクスタビライザ１２により遮断される。
【００８８】
上記ディスクスタビライザ１２が上記ディスクテーブル６１上に載置されていないときには、上記トレイ部７が上記ローディング位置にあり、かつ、上記ディスクテーブル６１が上記光学ピックアップ装置６０に最も近接した位置となされていても、上記発光素子２４より発した光線Ｋは、上記スピンドル軸７３等に遮断されることなく、上記受光素子２５に到達する。
【００８９】
すなわち、上記トレイ部７が上記ローディング位置に至り、かつ、上記ディスクテーブル６１が上記光学ピックアップ装置６０に最も近接した位置となされることにタイミングを合わせて、上記受光素子２５が光線Ｋを受光しているか否かを検出することによって、該ディスクテーブル６１上の上記ディスクスタビライザ１２の有無を判別することができる。
【００９０】
［６］ディスクプレーヤ装置の動作
上述のように構成された本発明に係るディスクプレーヤ装置において、上記制御回路は、上記第１及び第２の駆動手段、ディスクテーブル６１の回転操作、さらに、上記表示パネル７０を制御する。
【００９１】
上記制御手段は、図３において矢印Ａで示すように、上記第１の駆動手段により上記トレイ部７を上記外筐体より突出されるイジェクト位置に移動操作するときには、図３において矢印Ｂで示すように、上記第２の駆動手段により、上記ディスクテーブル６１を、該トレイ部７に対する移動操作が可能な範囲内における該外筐体より最も離間する位置、すなわち、上記光学ピックアップ装置６０より最も離間した位置に移動操作する。
【００９２】
しだがって、このディスクプレーヤ装置においては、図３中矢印Ｎで示す上記トレイ部７の上記前面パネル部７１よりの突出量を最小限に抑えつつ、上記ディスクテーブル６１を、このディスクテーブル６１上に保持された光ディスク２０１の全面が該前面パネル部７１の前方側に位置される程度に、充分に前方側に移動操作することができる。
【００９３】
そして、上記制御回路は、図２において矢印Ｃで示すように、上記第１の駆動手段により上記上記トレイ部７を上記外筐体内に収納されるローディング位置に移動操作するときには、図２において矢印Ｄで示すように、上記第２の駆動手段により、上記ディスクテーブル６１を、該トレイ部７に対する移動操作が可能な範囲内における上記光学ピックアップ装置６０に最も接近する位置に移動操作する。
【００９４】
したがって、このディスクプレーヤ装置においては、上記ディスクテーブル６１上に上記光ディスク２０１を載置させ、上記トレイ部７を上記ローディング位置に移動させた後は、即座に該光ディスク２０１に対する再生動作が開始可能となっている。上記光ディスク２０１は、最内周位置に目録情報（ＴＯＣ）が記録されており、この目録情報より再生を開始されるように構成されているからである。
【００９５】
そして、上記トレイ部７が上記ローディング位置となされたとき、上記記制御回路は、上記検出手段により上記ディスクテーブル６１上に上記ディスクスタビライザ１２が存在しないことが検出された場合には、該ディスクテーブル６１の回転操作を禁止する。
【００９６】
また、上記制御回路は、上記トレイ部７が上記ローディング位置となされたとき、上記検出手段により上記ディスクテーブル６１上に上記ディスクスタビライザ１２が存在しないことが検出されたときには、上記表示パネル７０により、該ディスクスタビライザ１２が該ディスクテーブル６１に対して非装着である旨を表示する。
【００９７】
したがって、このディスクプレーヤ装置においては、上記ディスクテーブル６１上に載置された光ディスク２０１上に上記ディスクスタビライザ１２が装着されることなく該ディスクテーブル６１が回転操作されることがなく、該光ディスク２０１の該ディスクテーブル６１よりの脱落等の事故が防止されるとともに、無駄な電力消費を抑えることができる。
【００９８】
また、上記表示パネル７０により、上記ディスクスタビライザ１２が上記ディスクテーブル６１に対して非装着である旨が表示されるので、このディスクプレーヤ装置の使用者は、該ディスクテーブル６１が回転操作されない原因を知ることができる。
【００９９】
上記ディスクテーブル６１上に上記光ディスク２０１が載置されこの光ディスク２０１上に上記ディスクスタビライザ１２が装着され、上記トレイ部７が上記ローディング位置となされ、さらに、該ディスクテーブル６１が上記光学ピックアップ装置６０に最も近接した位置となされると、この光ディスク２０１に対する再生動作が可能な状態となる。すなわち、上記光学ピックアップ装置６０により、上記光ディスク２０１の内周側より順次この光ディスク２０１上に形成された記録トラックに沿って情報信号の読み取りを行うことができる。
【０１００】
このとき、上記ディスクテーブル６１は、図２中に矢印Ｅで示すように、上記光学ピックアップ装置６０による情報信号の読み取りの進行に応じて、この光学ピックアップ装置６０より離間する方向に移動操作される。また、上記ディスクテーブル６１は、図２中に矢印Ｅ及び矢印Ｄで示すように、上記光ディスク２０１上の上記光学ピックアップ装置６０により情報信号を読み取る位置の選択、いわゆるトラックジャンプ操作に応じて、この光学ピックアップ装置６０に対する接離方向に移動操作される。
【０１０１】
さらに、上記制御回路は、上記トレイ部７を移動操作し、かつ、上記ディスクテーブル６１を移動操作しているときにおいて、該トレイ部７に対する該ディスクテーブル６１の移動が予め設定された所定時間以上に亘って阻害されたときには、該ディスクテーブル６１の移動操作方向を反転させる。
【０１０２】
すなわち、上記光ディスク２０１に対する再生動作が行われていないときにおいて、上記制御回路は、図１７のフローチャート（流れ図）に示すように、ステップｓｔ１で制御動作を開始し、ステップｓｔ２で、上記ディスクテーブル６１の上記光学ピックアップ装置６０に接近する方向への移動操作（スレッド送り（内方向））を実行しているか否かを判別する。上記ディスクテーブル６１の上記光学ピックアップ装置６０に接近する方向への移動操作を実行していれば、ステップｓｔ３に進み、実行していなければステップｓｔ１１に進む。
【０１０３】
ステップｓｔ３においては、上記スレッドインスイッチが押圧されたか否かを判別する。上記スレッドインスイッチが押圧されていればステップｓｔ４に進み、押圧されていなければステップｓｔ７に進む。
【０１０４】
ステップｓｔ４では、上記スレッドモータ９５を停止させ、ステップｓｔ５に進む。
【０１０５】
ステップｓｔ５では、上記トレイ部７が上記ローディング位置以外の位置にある（ローディングがオープン中）か否を判別する。上記トレイ部７が上記ローディング位置以外の位置にあるならば、ステップｓｔ６に進み、該トレイ部７が該ローディング位置にあるならば、ステップｓｔ９に進む。
【０１０６】
ステップｓｔ６では、上記スレッドアウトスイッチが押圧操作されるまでの間、上記ディスクテーブル６１の上記光学ピックアップ装置６０より離間する方向への移動操作（スレッド送り（外方向））を実行し、制限時間をカウントするタイマをリセットし、上記ステップｓｔ２に戻る。
【０１０７】
なお、上記タイマは、動作初期、すなわち、上記スレッドモータ９５が停止されているときにおいてリセット状態にあり、該スレッドモータ９５の駆動操作の開始とともにカウントを開始するようになされている。このタイマによりカウントされる制限時間は、上記ディスクテーブル６１を上記光学ピックアップ装置６０に最も近接する位置より該光学ピックアップ装置６０より最も離間する位置まで移動操作するのに要する時間に、例えば、１及至２秒程度の時間を加えた時間となっている。
【０１０８】
ステップｓｔ９では、上記タイマをリセットし、ステップｓｔ１０に進んでリターンする。
【０１０９】
上述のステップｓｔ１よりステップｓｔ６に至る動作により、上記トレイ部７が上記イジェクト位置等の上記ローディング位置以外の位置にあるときには、上記ディスクテーブル６１は、上記光学ピックアップ装置６０に接近する方向に移動操作されている場合には、この光学ピックアップ装置６０に最も近接する位置まで一旦移動操作された後、この光学ピックアップ装置６０より最も離間する位置まで移動操作される。
【０１１０】
そして、ステップｓｔ７においては、上記タイマによりカウントされている制限時間が経過したか否かを判別する。制限時間が経過したならば、ステップｓｔ８に進み、該制限時間が経過していなければ、上記ステップｓｔ３に戻る。
【０１１１】
ステップｓｔ８では、上記トレイ部７を上記イジェクト位置に向けて移動操作（ローディングをオープン）し、ステップｓｔ１０に進んでリターンする。
【０１１２】
上記ステップｓｔ７よりステップｓｔ８に至る動作により、上記ディスクテーブル６１の上記光学ピックアップ装置６０に接近する方向への移動操作が上記制限時間以上に亘って行われても上記スレッドインスイッチが押圧操作されない場合には、上記トレイ部７は、上記イジェクト位置に移動操作される。
【０１１３】
ステップｓｔ１１では、上記ディスクテーブル６１の上記光学ピックアップ装置６０より離間する方向への移動操作（スレッド送り（外方向））を実行しているか否かを判別する。上記ディスクテーブル６１の上記光学ピックアップ装置６０より離間する方向への移動操作を実行していれば、ステップｓｔ１２に進み、実行していなければステップｓｔ１０に進んでリターンする。
【０１１４】
ステップｓｔ１２においては、上記スレッドアウトスイッチが押圧されたか否かを判別する。上記スレッドアウトスイッチが押圧されていればステップｓｔ１３に進み、押圧されていなければステップｓｔ１５に進む。
【０１１５】
ステップｓｔ１３では、上記スレッドモータ９５を停止させ、ステップｓｔ１４に進む。
【０１１６】
ステップｓｔ１４では、上記タイマをリセットし、ステップｓｔ１０に進んでリターンする。
【０１１７】
そして、ステップｓｔ１５においては、上記タイマによりカウントされている制限時間が経過したか否かを判別する。制限時間が経過したならば、ステップｓｔ１６に進み、該制限時間が経過していなければ、上記ステップｓｔ１２に戻る。
【０１１８】
ステップｓｔ１６では、一定時間に亘って、上記ディスクテーブル６１の上記光学ピックアップ装置６０に接近する方向への移動操作（スレッド送り（内方向））を実行し、ステップｓｔ１７に進む。
【０１１９】
ステップｓｔ１７では、上記スレッドアウトスイッチが押圧されるまでの間、上記ディスクテーブル６１の上記光学ピックアップ装置６０より離間する方向への移動操作（スレッド送り（外方向））を実行し、ステップｓｔ１２に戻る。
【０１２０】
上記ステップｓｔ１５よりステップｓｔ１７に至る動作により、上記ディスクテーブル６１の上記光学ピックアップ装置６０より離間する方向への移動操作が上記制限時間以上に亘って行われても上記スレッドアウトスイッチが押圧操作されない場合、例えば、該ディスクテーブル６１と上記トレイカバー１１の透孔６７の縁部との間に指等が挟まっている場合には、該ディスクテーブル６１は、一旦、移動操作の方向を反転され、すなわち、該光学ピックアップ装置６０に接近する方向へ移動操作され、再び、該光学ピックアップ装置６０より離間する方向への移動操作をなされる。この動作は、上記スレッドアウトスイッチが押圧されるまで繰り返される。
【０１２１】
なお、本発明に係るディスクプレーヤ装置において、上記ディスクテーブル６１上の上記ディスクスタビライザ１２の有無を検出する検出手段は、上述したような光学式のセンサに限定されず、押圧スイッチを用いた接触式のセンサとしてもよい。
【０１２２】
【発明の効果】
上述のように、本発明に係るディスクプレーヤ装置においては、外筐体内に配設された検出手段は、光線を発光させる発光素子と該発光素子から発光された光線を受光する受光素子とからなり、上記トレイ部が上記外筐体に収納される位置に移動する際、該発光素子から該受光素子に向けて発光された光線が上記ディスクスタビライザにより遮断されたか否かにより上記ディスクテーブル上の上記ディスクスタビライザの有無を検出する。
【０１２３】
したがって、このディスクプレーヤ装置においては、上記ディスクスタビライザが上記ディスクテーブル上に非装着の状態でのディスクテーブルの回転を未然に防止することができる。
【０１２４】
そして、上記ディスクプレーヤ装置において、上記ディスクテーブルの回転操作を制御する制御手段を設け、この制御手段は、上記検出手段により上記ディスクテーブル上に上記ディスクスタビライザが存在しないことが検出されたときには、該ディスクテーブルの回転操作を禁止することとした場合には、上記ディスクスタビライザが非装着の状態での上記ディスクテーブルの回転が防止される。また、上述の各ディスクプレーヤ装置において、表示手段を設け、この表示手段は、上記検出手段により上記ディスクテーブル上に上記ディスクスタビライザが存在しないことが検出されたときには、該ディスクスタビライザが該ディスクテーブルに対して非装着である旨を表示することとした場合には、上記ディスクスタビライザが非装着の状態での上記ディスクテーブルの回転を防止することができる。
【０１２５】
すなわち、本発明は、ディスクドライブ部が外筐体の外方側に移動操作され、このディスクドライブ部に対する迅速な記録ディスクの着脱が行えるようになされるとともに、このディスクドライブ部に対する記録ディスクの装着が正確に行われていないときに、該記録ディスクを保護することができるようになされたディスクプレーヤ装置を提供することができるものである。
【図面の簡単な説明】
【図１】本発明に係るディスクプレーヤ装置の構成を示す分解斜視図である。
【図２】上記ディスクプレーヤ装置のトレイ部の構成を一部を破断して示す平面図である。
【図３】上記ディスクプレーヤ装置において上記トレイ部が外筐体の外方側に移動操作された状態を一部を破断して示す平面図である。
【図４】上記ディスクプレーヤ装置において上記トレイ部を移動操作するローディング機構の構成を一部を破断して示す平面図である。
【図５】上記ディスクプレーヤ装置において上記ローディング機構が上記トレイ部を移動させている途中の状態を一部を破断して示す平面図である。
【図６】上記ディスクプレーヤ装置において上記ローディング機構が上記トレイ部を外筐体の外方側に移動させた状態を一部を破断して示す平面図である。
【図７】上記ディスクプレーヤ装置において光ディスク及びディスクスタビライザが装着された状態を示す正面図である。
【図８】上記ディスクプレーヤ装置において光ディスク及びディスクスタビライザが装着されていない状態を示す正面図である。
【図９】上記ディスクプレーヤ装置におけるローディング機構のローディングモータ及び減速ギヤを支持するための構成を示す縦断面図である。
【図１０】上記ディスクプレーヤ装置において使用されるディスクスタビライザの形状を示す縦断面図である。
【図１１】上記ディスクプレーヤ装置のディスクドライブ部の構成を示す平面図である。
【図１２】上記ディスクドライブ部においてディスクテーブルが光学ピックアップ装置より離間された状態を示す平面図である。
【図１３】上記ディスクドライブ部の構成を一部を破断して示す側面図である。
【図１４】上記ディスクドライブ部の構成を示す正面図である。
【図１５】上記ディスクドライブ部の構成を示す縦断面図である。
【図１６】上記ディスクドライブ部における光学ピックアップ装置を支持するための構成の要部を示す分解斜視図である。
【図１７】上記ディスクプレーヤ装置の動作を説明する流れ図である。
【符号の説明】
３  スラスト軸受け
７  トレイ部
８  第１のシャフト
１１  トレイカバー
１２  ディスクスタビライザ
２４  発光素子
２５  受光素子
２６  ローディングモータ
４３  軸受け孔
６０  光学ピックアップ装置
６１  ディスクテーブル
７０  表示パネル
７１  前面パネル
７２  底板部
７３  スピンドル軸
９５  スレッドモータ
１０４  支持ブロック
２０１  光ディスク
【図１】
0003552289.tif 000002
【図２】
0003552289.tif 000003
【図３】
0003552289.tif 000004
【図４】
0003552289.tif 000005
【図５】
0003552289.tif 000006
【図６】
0003552289.tif 000007
【図７】
0003552289.tif 000008
【図８】
0003552289.tif 000009
【図９】
0003552289.tif 000010
【図１０】
0003552289.tif 000011
【図１１】
0003552289.tif 000012
【図１２】
0003552289.tif 000013
【図１３】
0003552289.tif 000014
【図１４】
0003552289.tif 000015
【図１５】
0003552289.tif 000016
【図１６】
0003552289.tif 000017
【図１７】
0003552289.tif 000018